(57)【要約】【課題】雨水などの排水を地下浸透するのに適した浸透システムを提供する。【解決手段】貯留浸透システム１００ａは、第１の構築物１と第２の構築物２とを有する。第１の構築物１は、複数の側壁１１を備えるコンクリート製で中空の第１の構造体１０を含む。第２の構築物２は、多数の骨組を備えた複数のパネルおよび／または多孔性の複数のパネルにより貯留用の空隙を形成可能な樹脂製の複数の充填部材４０を含む。複数の充填部材４０は、互いに並べて配置されている。第１の構造体１０の少なくとも１つの側壁１１は、複数の充填部材４０の少なくとも一部と対向している。第１の構造体１０の少なくとも１つの側壁１１は、上下方向および左右方向に分散して複数の開口１４が設けられている多孔領域１５を含む。【選択図】図１
2008291498.tif 000002
【特許請求の範囲】
【請求項１】
複数の側壁を備えるコンクリート製で中空の第１の構造体を含む第１の構築物と、
多数の骨組を備えた複数のパネルおよび／または多孔性の複数のパネルにより貯留用の空隙を形成可能な樹脂製の複数の充填部材を含み、前記複数の充填部材が互いに並べて配置された第２の構築物とを有し、
前記第１の構造体の少なくとも１つの側壁は、上下方向および左右方向に分散して複数の開口が設けられている多孔領域を含み、前記第２の構築物の前記複数の充填部材の少なくとも一部と対向している、貯留浸透システム。
【請求項２】
請求項１において、前記第１の構造体は、縦長の槽であり、前記複数の側壁は、前記縦長の槽の周囲を構成する複数の側壁である、貯留浸透システム。
【請求項３】
請求項２において、前記縦長の槽の少なくとも２つの側壁は、それぞれ、前記多孔領域を含み、前記第２の構築物の前記複数の充填部材の一部と対向している、貯留浸透システム。
【請求項４】
請求項１において、前記少なくとも１つの側壁の前記第２の構築物に対向したほぼ全域が、前記多孔領域であり、前記多孔領域では、前記複数の開口が上下方向および左右方向に断続して設けられている、貯留浸透システム。
【請求項５】
請求項１において、前記第１の構造体は側溝である、貯留浸透システム。
【請求項６】
請求項１ないし５のいずれかにおいて、前記複数の開口は、上下方向に縦長の形状を有している、貯留浸透システム。
【請求項７】
請求項２において、前記第１の構築物は、さらに、
開口部を備え、前記第１の構造体の側壁の上に搭載されたコンクリート製の板状部材と、
複数の側壁を備えるコンクリート製で中空の第２の構造体であって、前記板状部材の上に当該第２の構造体の側壁が搭載された、第２の構造体とを含む、貯留浸透システム。
【請求項８】
請求項７において、前記第２の構造体は、前記第２の構築物よりも上方に突出しており、当該第２の構造体の側壁に、排水を導入する導入口が設けられている、貯留浸透システム。
【発明の詳細な説明】
【技術分野】
【０００１】
本発明は、雨水などの排水を一時的に貯留するとともに地下浸透させるのに適した貯留浸透システムに関するものである。
【背景技術】
【０００２】
特許文献１には、雨水等貯留浸透施設用構造体、及び、雨水等貯留浸透施設が開示されている。特許文献１に記載の雨水等貯留浸透施設用構造体は、複数の仕切部材と、複数の側板部材と、複数の面板部材とを含んでいる。仕切部材のそれぞれは、扁平状であって、幅方向において相対向する２辺を有し、互いに間隔を隔てて配置されている。側板部材は、扁平状であって、仕切部材の前記２辺に結合されている。面板部材のそれぞれは、相対向する２辺のうちの一辺が凹部を有し、他辺は凹部と対応する凸部を有し、隣接する面板部材において、一方の凹部に、他方の凸部を嵌め込む凹凸嵌合により全体として一体化されている。仕切板（仕切部材）及び側板部材は、高さ方向の辺が、隣接する面板部材の間で、面板部材の一面上に設けられた２つの突起の間に凹凸嵌合されている。
【０００３】
特許文献１に記載の雨水等貯留浸透用施設では、上述した雨水等貯留浸透施設用構造体が地中に埋設されており、上方側が、土、砂利、コンクリートまたはアスファルトなどの層によって覆われている。また、構造体の周囲は、不織布などの透水性の保護層によって覆われており、構造体の内部への土砂の流入が阻止されている。構造体には、流入管が挿着されている。流入管の一端は、集水桝に連なっている。集水桝に集められた雨水は、流入管の一端から構造体に流入する。流入管から構造体に流入した雨水は地中に浸透する。
【特許文献１】特開２００６−３７４８２号公報
【発明の開示】
【発明が解決しようとする課題】
【０００４】
特許文献１に記載の技術では、集水桝に集められた雨水は、集水桝の側壁の底の近傍に設けられた１つの開口を介して、構造体に流入する。このような雨水等貯留浸透施設では、集水桝内の水位が高まり、上記開口を通って構造体に流入する水の量が増大すると、上記開口を通る水の流速が急激に速くなる。集水桝の底には、泥などが溜まっていることがあり、上記開口を通る水の流速が速くなると、この水の流れに乗って、底に溜まっている泥などが構造体の内部に運ばれるおそれがある。構造体の内部へ泥などが持ち込まれると、雨水等貯留浸透施設の貯留浸透性能を低下させる要因となる。しかも、構造体の内部は、基本的にはメンテナンスが困難であり、持ち込まれた泥を取り除くことが難しい。
【課題を解決するための手段】
【０００５】
本発明の一態様は、第１の構築物と第２の構築物とを有する貯留浸透システムである。第１の構築物は、複数の側壁を備えるコンクリート製で中空の第１の構造体を含む。第２の構築物は、多数の骨組を備えた複数のパネルおよび／または多孔性の複数のパネルにより貯留用の空隙を形成可能な樹脂製の複数の充填部材を含み、複数の充填部材が互いに並べて配置されている。第１の構造体の少なくとも１つの側壁は、上下方向および左右方向に分散して複数の開口が設けられている多孔領域を含み、第２の構築物の複数の充填部材の少なくとも一部と対向している。
【０００６】
この貯留浸透システムによれば、第１の構造体の内部に集められた雨水などの水（排水）は、第１の構造体の少なくとも１つの側壁に含まれる多孔領域の複数の開口を介して、貯留用の空隙を形成する複数の充填部材に流入する。しかも、この貯留浸透システムによれば、多孔領域には上下方向および左右方向に分散して複数の開口が設けられている。このため、第１の構造体の内部の水位が上がると、それに伴い、第１の構造体から複数の充填部材に水が流入する面積が増加する。すなわち、側壁の水の流通面積（水面よりも下側にある開口のトータルの面積、第１の構築物と第２の構築物との間で水が流通する面積）が増大する。
【０００７】
したがって、雨量が増えるなどの要因により第１の構造体に流入する水量が増しても、多孔領域において複数の開口に分散して流入するので、第１の構造体から多孔領域を通って第２の構築物（第２の構築物に含まれる充填部材）に流入する水の流速が急激に増加することは抑制される。このため、第１の構造体の底には、泥などが溜まることがあっても、この貯留浸透システムによれば、第１の構造体の複数の開口により、流速の急激な増加は防止できる。したがって、上記少なくとも１つの側壁の底の近傍にまで開口を設けたとしても、底に溜まった泥などが、底の近傍にある開口を介して、第２の構築物の内部（充填部材の内部）に運ばれにくい。
【０００８】
このため、上記少なくとも１つの側壁の第２の構築物に対向したほぼ全域を多孔領域とすることができ、また、ほぼ全域を多孔領域にすることにより、第１の構築物から第２の構築物への水の流入を分散させやすい。
【０００９】
さらに、この貯留浸透システムによれば、第１の構造体の少なくとも１つの側壁に、上下方向のみならず左右方向にも分散して複数の開口が設けられているため、側壁の強度の低下を防ぎながら、側壁の広い領域を、水が流通する領域として利用できる。
【００１０】
また、この貯留浸透システムによれば、第１の構造体の少なくとも１つの側壁の多孔領域の複数の開口を介して、第１の構築物から第２の構築物へ水が流入するだけではなく、条件によっては、たとえば、第１の構築物への水の流入がない、あるいは少ない、定常状態では、第１の構築物と第２の構築物との間で水が出入り（流通、循環）する。多孔領域には、上下方向および左右方向に分散して複数の開口が設けられているので、第１の構造体の内部と充填部材の内部と多孔領域の全体で連通している状態になり、第１の構造体の内部の状態を観察することにより、一般的に観察が難しい充填部材の内部の様子（例えば、貯水されている水の状態、泥などの溜まり具合など）を推察することができる。
【００１１】
この貯留浸透システムにおいて、第１の構造体は、例えば、縦長の槽とすることができる。この場合、第１の構造体が備える複数の側壁は、縦長の槽の周囲を構成する複数の側壁である。
【００１２】
第１の構造体を縦長の槽とする場合、縦長の槽の少なくとも２つの側壁が、それぞれ、上下方向および左右方向に分散して複数の開口が設けられている上記多孔領域を含み、第２の構築物の複数の充填部材の一部と対向していることが好ましい。複数の側壁に設けられた多孔領域を介し、水を多方向に流出させることができるため、水の流出をさらに分散することができる。また、第１の構築物と第２の構築物との間の水の流通をさらに促進できる。したがって、貯留浸透システムに大量の水が流入したときに、第１の構築物と第２の構築物との間の流速の増加をさらに抑制でき、第２の構築物の内部の状態を第１の構築物から、さらに精度良く推測できる。
【００１３】
また、第１の構造体を縦長の槽とする場合、第１の構築物は、開口部を備え、第１の構造体（縦長の槽）の側壁の上に搭載されたコンクリート製の板状部材と、複数の側壁を備えるコンクリート製で中空の第２の構造体であって、板状部材の上に当該第２の構造体の側壁が搭載された、第２の構造体とを、さらに含むことが好ましい。雨水などの排水とともに第１の構築物に導入されたごみや土砂を、第１の構造体の上の、板状部材と第２の構造体とにより形成された空間内、主として、板状部材の上に溜めることができる。
【００１４】
さらに、この場合には、第２の構造体を、第２の構築物よりも上方に突出させ、当該第２の構造体の側壁に、排水を導入する導入口を設けるとよい。
【００１５】
また、この貯留浸透システムにおいて、第１の構造体は、縦長の槽に限定されない。第１の構造体は、例えば、側溝としてもよい。
【００１６】
本発明の一態様にかかる貯留浸透システムでは、第１の構造体の少なくとも１つの側壁の一部を多孔領域としてもよく、第１の構造体の少なくとも１つの側壁のほぼ全域を多孔領域としてもよい。多孔領域の好適な例は、複数の開口が上下方向および左右方向に断続して、例えば２次元的にマトリックス状に設けられているものである。
【００１７】
第１の構造体の少なくとも１つの側壁の一部、例えば、下部を除く領域を多孔領域とした場合、第１の構造体の下部に泥やごみなどを溜めたり、一定量の水を第１の構造体の内部に貯留することができる。一方、第１の構造体の少なくとも１つの側壁のほぼ全域を多孔領域とした場合、第１の構造体の少なくとも１つの側壁の開口率、すなわち、第１の構造体と複数の充填部材とを連通させる複数の開口のトータルの開口面積をより大きくすることができる。
【００１８】
また、この貯留浸透システムにおいて、複数の開口は、上下方向に縦長の形状を有していることが好ましい。上下方向に縦長の形状の開口を採用した場合、左右方向に横長の形状の開口を採用する場合と比べ、第１の構造体の内部の水位の変動に対し、開口面積の変化が追従しやすい。
【発明を実施するための最良の形態】
【００１９】
以下、図面を参照して、本発明の第１の実施形態について説明する。図１は、本発明の第１の実施形態にかかる貯留浸透システムを正面図により示している。図２は、図１の貯留浸透システムを示す断面図である。図３は、図２の一部を拡大して示している。
【００２０】
この貯留浸透システム１００ａは、第１の構築物１と、第２の構築物２とを有している。第１の構築物１は、複数の側壁（周壁）１１を備えるコンクリート製で中空の第１の構造体（下部構造体、下部槽（桝））１０と、開口部３０ａを備え、第１の構造体１０の側壁１１の上に搭載されたコンクリート製の板状部材３０と、複数の側壁（周壁）２１を備えるコンクリート製で中空の第２の構造体２０であって、板状部材３０の上に側壁２１が搭載された、第２の構造体（上部構造体、上部槽（桝））２０とを含んでいる。
【００２１】
詳しくは、第１の構造体１０は、コンクリート製の底壁１２と、コンクリート製で中空（角筒状）の２つの第１のブロック１３ａおよび１３ｂとを備えた、縦長の槽である。第１の構築物１が備える複数の側壁１１は、第１の構造体（縦長の槽）１０の周囲を構成する２つの第１のブロック１３ａおよび１３ｂの複数の側壁１１である。
【００２２】
底壁１２は、コンクリートにより工場においてプレハブ（プレキャスト）されたコンクリート版（コンクリート製の壁体、コンクリート製の板状部材）である。底壁１２は、例えば、一辺が約１０００ｍｍの正方形で、厚さが１００ｍｍ（約１０００×１０００×１００ｍｍ）の板である。
【００２３】
第１のブロック１３ａおよび１３ｂは、それぞれ、コンクリートにより工場においてプレハブ（プレキャスト）された外形直方体状の中空のブロック（上壁および底壁が設けられていない桝）である。第１のブロック１３ａおよび１３ｂは、第１の構造体（縦長の槽）１０の複数の側壁（第１の側壁）１１を構成している。第１のブロック１３ａおよび１３ｂの外形は、それぞれ、平面視が約１０００×１０００ｍｍの正方形で、高さが約１０００ｍｍであり、各側壁１１の厚さが約１００ｍｍである。
【００２４】
第１の構造体１０は、底壁１２の上に、２つの第１のブロック１３ａおよび１３ｂを上下に積み重ねることにより構成され、全体として、有底角筒状の桝を構成している。したがって、第１の構造体１０の内部空間Ｓ１は、平面視が約８００×８００ｍｍで、高さが約２０００ｍｍとなっている。
【００２５】
第１のブロック１３ａおよび１３ｂの四方の側壁（４つの側壁）１１は、それぞれ、多孔領域１５を含んでおり、多孔領域１５は透水性を有している。本例では、第１のブロック１３ａおよび１３ｂの四方の側壁１１のほぼ全域が多孔領域１５である。多孔領域１５には、上下方向および左右方向（上下方向および前後方向）に分散（断続）して、複数の開口（孔）１４が２次元的にマトリクス状に設けられている。本例では、第１のブロック１３ａおよび１３ｂの四方の側壁１１には、それぞれ、開口１４が、１６（４×４）個、設けられている。開口１４は、それぞれ、上下方向に縦長の形状を有している。より具体的には、開口１４は、それぞれ、内側から見ると上下方向に長い長方形状であり、その両側部および下部が内側から外側に向かって広がっている。開口１４の幅は、それぞれ、砕石などが通過しない、あるいは通過しにくい大きさ、例えば２０ｍｍ程度となっている。また、縦長の開口１４を配置することにより、上下方向の加重を受けるコンクリート壁の断面積を確保しながら、十分な開口面積が得られるようにしている。
【００２６】
板状部材３０は、コンクリートにより工場においてプレハブ（プレキャスト）された、コンクリート版（コンクリート製の壁体、コンクリート製の板状部材）である。板状部材３０のサイズは、例えば、平面視が約１０００×１０００ｍｍの正方形で、厚さが約１００ｍｍである。板状部材３０の略中央部には、対角線長さが約６００ｍｍ平面矩形状の孔（開口部）３０ａが設けられている。この板状部材３０は、開口部３０ａを除いた部分がコンクリート製なので、実質的に非透水性であって、第１の構築物１の内部に形成される中間床となる。この板状部材３０は、第１の構造体１０の側壁１１の上、具体的には、上側の第１のブロック１３ａの上端面（第１の構造体１０の上端面、上部開口）の上に、第１の構造体１０を覆うように（塞ぐように）、搭載されている。
【００２７】
ごみなどが、開口部３０ａを介して、第１の構造体１０の内部に入り込み難いように、板状部材３０の開口部３０ａは、網状部材３１により覆われている。網状部材３１は、２つに分割されている。本例では、網状部材３１は、２つの小型の網部材３２ａおよび３２ｂを備えている。網部材３２ａおよび３２ｂは、それぞれ、ステンレス製のエキスパンドメタルからなる網を、ステンレス製のＬ型チャンネルのような枠部材により囲ってなるものである。網部材３２ａおよび３２ｂは、それぞれ、長手方向の中間部にフラットバーにより梁が設けられており、この梁に取手３５が設けられている。網部材３２ａおよび３２ｂは、それぞれ、Ｌ型の枠部材の張り出し部分を開口部３０ａの縁に引っ掛けた状態で、開口部３０ａを覆うように設けられている。
【００２８】
第２の構造体２０は、コンクリート製で中空（各筒状）の第２のブロック２３を備えている。第２のブロック２３は、コンクリートにより工場においてプレハブ（プレキャスト）された外形直方体状の中空のブロックであり、天井壁（上壁）２２を有し、底壁が設けられていない桝状のブロックである。第２のブロック２３は、第２の構造体２０の天井壁２２と、複数の側壁（第２の側壁）２１とを構成している。第２のブロック２３の外形は、平面視が約１０００×１０００ｍｍの正方形で、高さが約６００ｍｍであり、天井壁２２および各側壁２１の厚さは約１００ｍｍである。したがって、第２の構造体２０の内部空間Ｓ２は、平面視が約８００×８００ｍｍの正方形で、高さが約５００ｍｍである。
【００２９】
第２の構造体２０の側壁２１、本例では、第２のブロック２３の４つの側壁２１のうちの１つには、雨水などの排水を導入する導入口（水導入口）２４が設けられている。この導入口２４は、側壁２１の一部を排水管２５が貫通した形態であり、排水管２５は、側溝などの集水部（集水システム）と連通している。なお、本例の第２のブロック２３の側壁２１は、導入口２４を除いた部分がコンクリート壁なので、実質的に非透水性（不浸透性、止水性）であって、第１の構造体１０の開口１４に相当するような浸水用の開口や、ポーラスコンクリートからなるポーラス部などを有していない。
【００３０】
第２の構造体２０の天井、すなわち、第２のブロック２３の天井壁２２の略中央部には、直径約６００ｍｍの平面円形状の孔（開口部、出入口）２２ａが設けられている。第２の構造体２０の上には、出入口２２ａを囲むように、蓋受けを兼ねた高さ調整リング２６が搭載されており、調整リング２６に、直径約６００ｍｍの鋳鉄製の蓋２７が搭載され、出入口２２ａが塞がれている。
【００３１】
第２の構造体２０は、板状部材３０の上に搭載され、板状部材３０は、第１の構造体１０の上に搭載されている。第１の構築物１は、第１の構造体１０、板状部材３０、第２の構造体２０を、この順番で下から積層することにより構築されている。第２の構造体２０の内部空間Ｓ２は、ごみ溜め用の空間として機能する。
【００３２】
本例の第１の構造体１０では、第１の構造体１０の横断面形状と第２の構造体２０の横断面形状が実質的に等しく、コンクリート製の板状部材３０は、第１の構造体１０および第２の構造体２０の外形に対応しており、第１の構造体１０の側壁１１の上端部と第２の構造体２０の側壁２１の下端部との間に挟まれている。したがって、本例の第１の構造体１０では、板状部材３０を第１の構造体１０と第２の構造体２０の間に位置させるために、板状部材３０を固定あるいは支持するための他の構造、例えば、梁、ブレースなどを設けても良いが、基本的には不要である。第１の構造体１０の側壁１１および第２の構造体２０の側壁２１に対して、板状部材３０の位置を精度良く決めるために、第１の構造体１０の側壁１１の上端部と板状部材３０との間、板状部材３０と第２の構造体２０の側壁２１の下端部との間に、一方に突条、他方に溝を設け、それらが噛み合わされるようにすることができる。また、位置決め用の金具、フラットバーをそれぞれのコンクリート板およびブロックの所定の位置に埋設されたインサートにボルトで固定する方法を用いて、それらを固定しても良い。さらに、第１のブロック１３ａと第１のブロック１３ｂとの間や、第１のブロック１３ｂと底壁１２との間も同様に、突条と溝との組合せあるいは位置決め用の金具を用いて固定しても良い。
【００３３】
第１の構築物１は、板状部材３０がコンクリート製であるため、安価で強度が高い。さらに、板状部材３０は、第１の構造体１０の側壁１１に搭載され、第１の構造体１０と第２の構造体２０とにより挟まれている。このため、簡易な構成ではあるが、地中に形成された空間内（第１の構築物１の内部空間内）に、安定した状態の中間床を形成することができる。したがって、板状部材３０は、その上にごみや泥を溜めても、その重さに耐えられ、さらに、人が乗ることも可能である。したがって、作業員が板状部材３０の上に乗って、ごみを集めて排出したり、あるいは、清掃したりするといった作業を行うことができる。この際、板状部材３０は、比較的浅い位置にあるため、作業員は、容易に板状部材３０の上に降りることができる。また、万一、作業員が第１の構築物１の内部に落ちたとしても、第１の構造体１０と第２の構造体２０の間に板状部材３０があるため、落下した作業員が、第１の構造体１０の底にまで至ることはない。
【００３４】
なお、第２の構造体２０を軽量化するために、第２のブロック２３の側壁２１の外側に、複数の凹部を形成してもよい。また、泥などが、開口部３０ａを介して、第１の構造体１０の内部に入り込み難いように、排水の流路の途中、すなわち、導入口２４から導入され、板状部材３０と第２の構造体２０とにより形成された空間Ｓ２を通り、開口部３０ａを介して、第１の構造体１０の内部に至る排水の流路の途中に、堰（ダム）を設けてもよい。
【００３５】
第１の構築物１は、第１の構造体１０の他に、板状部材３０と第２の構造体２０を含んでおり、第２の構造体２０の内部空間Ｓ２は、ごみ溜め用の空間として機能するため、貯留浸透システム１００ａの外側に、別途、ごみ取り用の桝などを設けなくてよい。この場合、ごみ取り用の桝などを敷設するための砕石引きおよびその他の工事も省略できるため、施工するための工期を短縮できる。さらに、第２の構造体２０に設けられた出入口２２ａが、第１の構造体１０への出入口を兼ねるので、地表に配置される鋳鉄製の蓋（貯留浸透システム１００ａに設ける鋳鉄製の蓋）は、１つで良い。
【００３６】
図１ないし図３に示すように、第２の構築物２は、地中に排水の貯留空間Ｓ３を形成するためのものであり、排水貯留用の空隙を形成するための複数の充填部材（空隙部材）４０と、積み重ねられた充填部材４０の外側（最外層）を覆う透水シート５０とを含んでいる。複数の充填部材４０は、第１の構築物１の周囲（四方）に、マトリックス状に（縦横に）、互いに並べて配置されている。本例では、略直方体状に組み立てられた同一形状の充填部材４０を１つのユニット（単位）として用い、複数の充填部材４０を所定の形となるように縦横に積み上げて所望の体積の貯留空間Ｓ３を有する第２の構築物２を構築している。
【００３７】
これらの充填部材４０は、同じ向きに配設してもよいが、配設する位置により、図１上方から見て、縦長においたり、横長に置いたりしてもよい（図１参照）。本例では、図１および図２に示すように、第１の構築物１の導入口２４が設けられている側（図１において左側）には、充填部材４０は、上下方向に５段、奥行き方向に１３個の合計６５個を１列として、左右方向に横長となるように、互いに並べて配置されている。第１の構築物１の導入口２４が設けられている側とは反対の側（図１において右側）には、充填部材４０は、上下方向に５段、奥行き方向に１３個を１列として、合計６列（合計３９０個）の充填部材４０が左右方向に横長となるように、互いに並べて配置されている。また、第１の構築物１の奥側（図１において上側）には、充填部材４０は、上下方向に５段、奥行き方向に３個を一列として、３列（合計４５個）が奥行き方向に縦長となるように、互いに並べて配置されている。第１の構築物１の手前側（図１において下側）にも同様に、合計４５個の充填部材４０が互いに並べて配置されている。
【００３８】
本例では、同一の充填部材４０を組み合わせて、適当な大きさの貯留空間Ｓ３を有する第２の構築物２を構築しているが、第２の構築物２は、複数の形状や種類の充填部材を組み合わせて、適当な大きさの貯留空間Ｓ３を有する第２の構築物２を構築してもよい。また、充填部材４０の数、配列数、積層段数などは、充填部材４０の大きさや、第２の構築物２に要求される貯留空間Ｓ３などにより、任意に設定できる。
【００３９】
図４は、充填部材４０の一例を斜視図により示している。本例の充填部材４０は、多数の骨組４４を備えた複数のパネル（プレート）４１および４２を組み合わせることにより形成されている。すなわち、パネル４１および４２は、それぞれ、多孔性を有している。
【００４０】
図５は、図４に示した充填部材４０の一例を分解斜視図により示している。充填部材４０は、樹脂製であり、たとえば、プラスチック、プラスチック繊維、ガラス繊維、さらにはプラスチックを含む複合材料などの成形性が高く、強度も高い材料により形成されている。充填部材４０は、それらの材料により、格子状、扇状などの、強度が高く、多孔状あるいは開口率の大きな形状が得られるように成形された複数のパネル（プレート）４１および４２をボックス状に組み立てたものである。それぞれのパネル４１および４２は、開口面積（開口率）が大きくなるように、スケルトン状に成形されており、複数のパネル４１および４２をボックス状に組み合わせることにより、全体として高い強度と、大きな貯留空間とが確保できるようになっている。
【００４１】
本例の充填部材４０は、具体的には、平面略正方形状の５枚の第１のパネル４１と、平面略長方形状の４枚の第２のパネル４２とを有している。第１のパネル４１および第２のパネル４２は、それぞれ、プラスチック、プラスチック繊維、ガラス繊維、さらにはプラスチックを含む複合材料などの成形性が高く、強度も高い材料により形成されている。第１のパネル４１および第２のパネル４２は、それぞれ、枠状の部材４３と多数の骨組４４とを備えて、略格子状に形成されている。
【００４２】
第１のパネル４１の平面形状は、それぞれ、例えば、一辺が約４００ｍｍの正方形状である。これらのパネル４１は、ほぼ均等な間隔をあけた状態で、互いに平行に並べて配置されている。第２のパネル４２の平面形状は、例えば、長辺が約７００ｍｍ、短辺が約４００ｍｍである。４枚の第２のパネル４２は、第１のパネル４１をそれぞれ囲むように、角筒状に連結され、ボックス状に組み立てられている。第１のパネル４１は、それぞれ、第２のパネル４２に支持されている。本例の充填部材４０のように、スケルトン状に縦横さらに斜めなどに強度部材が伸びたボックス状の充填部材は、強度、水の流通性、重量、運搬費用も含めた施工コストなどの点でさらに優れている。
【００４３】
水を貯留する空間を形成するための、このような充填部材（空隙部材）４０は、浸透材、貯留用の構造材などとも称されるものである。なお、この貯留浸透システム１００ａが備える充填部材は、上述した充填部材４０に限定されるものではない。充填部材は、多数の骨組を備えた複数のパネルおよび／または多孔性の複数のパネルにより貯留用の空隙を形成可能なものであればよい。充填部材は、例えば、プラスチック製のパイプであって、周壁に多数の開口（小孔）が設けられたパイプを断面方向に縦横に積重ねたものであってもよい。
【００４４】
第２の構築物２は、さらに、図１および図２に示すように、その周囲を覆う、透水シート（透水性シート）５０を備えている。透水シート５０は、積み重ねられた充填部材４０の外周面を覆うように施工されており、第２の構築物２の外周層を構成する。透水シート５０の一例は、ガラス繊維、プラスチック繊維などの耐食性の高い繊維からなる不織布である。不織布は、密度を変えたり、厚みを変えたり、多層にすることにより透水性（透水率）を制御することが可能である。したがって、透水シート５０を設けることにより、第２の構築物２に水を保持（貯留）することができる。また、貯留時間を制御することもできる。さらに、第２の構築物２の一部を、透水シート５０の代わりに、不透水性のシートあるいは壁体により覆うことも可能である。この場合、第２の構築物２の一部を、水が地面に浸透しない貯水槽とすることができる。透水シート５０の他の例は、例えば、適当な大きさの多数の開口あるいは孔が開いたビニールシートあるいはその他の樹脂によるシートである。
【００４５】
この貯留浸透システム１００ａでは、図１ないし図３に示すように、第１の構造体１０の周囲（四方、４つの側壁１１）を囲み、これらと対向するように、複数の充填部材４０が互いに並べて配置されている。すなわち、第１の構造体１０の４つの側壁１１は、複数の充填部材４０の一部（最も第１の構造体１０の近くにある充填部材４０）と対向する。なお、第１の構造体１０と充填部材４０との間は、密着させてもよいが、図１などに示すように、隙間Ｓを設けてもよい。第１の構造体１０と充填部材４０との間に空隙Ｓができる場合には、第１の構造体１０と充填部材４０との間に緩衝材（例えば、発泡スチロールなど）１９を適当な間隔で、開口１４と重ならないように設けるとよい。
【００４６】
この貯留浸透システム１００ａは、例えば、道路、駐車場、ガソリンスタンド、グラウンド、緑地帯などの下に埋設される。この貯留浸透システム１００ａを埋設することにより、地表が別の目的、例えば、道路、駐車場、ガソリンスタンドなどに用いられる地下を雨水などの排水を貯留および／または浸透するための空間として利用できる。貯留浸透システム１００ａを埋設する地域を掘削し、第１の構築物１は、上述のように、第１の構造体１０、板状部材３０、第２の構造体２０を、この順番に下から上に並べて埋設することにより施工できる。第１の構築物１の周囲あるいは第１の構築物１の下も含めて透水シート５０を敷設し、その上に、複数の充填部材４０を互いに並べて配置し、さらにそれらの最外層を覆う透水シートを敷設することにより、第２の構築物２を施工できる。その後、土砂により埋めることにより貯留浸透システム１００ａを施工できる。
【００４７】
地表より複数の充填部材４０にかかる重荷重（例えば、輪加重）を分散するために、第２の構築物２は、地上（地表）から少し下がった位置に埋設することが好ましい。一方、第１の構築物１の内部には、人が入ってメンテナンスすることがあるため、第１の構築物１の一部は、地上と連通させておくことが好ましい。本例の貯留浸透システム１００ａでは、第１の構築物１の第２の構造体２０が、第２の構築物２よりも上方に突出し地表に到達するように、構築されている。第２の構造体２０には、上述のように、出入口２２ａが設けられているため、蓋２７を外すことにより、この出入口２２ａから、第１の構築物１の内部に入ることができる。第１の構築物１の内部、具体的には、第１の構造体１０および第２の構造体２０の内側には、梯子２８が設けられている（例えば、図２参照）。
【００４８】
また、本例の貯留浸透システム１００ａでは、第１の構築物１の第２の構造体２０が第２の構築物２よりも上方に突出しており、第２の構築物２の上方は土などにより覆われている。このため、第２の構造体２０の側壁２１の、排水を導入する導入口２４に接続される排水管２５を、第２の構築物２の上方の空間（地中）を用いて施工できる。したがって、第２の構築物２を貫通するように排水を導入するための排水管２５を配設したり、第２の構築物２を回避するように排水管２５を曲げたりする必要がない。
【００４９】
図２に示すように、第１の構築物１の下には、砕石が敷き詰められた層６１が形成されている。第２の構築物２の下には、透水シート５０を介して、砂層６２が形成されている。貯留浸透システム１００ａの周囲には、透水シート５０を介して、砂質土層６３が形成されている。このため、第２の構築物２に貯留された水は、透水シート５０を介して適当なスピードで、周囲の砂質土層６３および砂層６２に浸透（排出）されていく。
【００５０】
たとえば、雨水などの排水は、側溝などの集水部に回収（集水）され、排水管２５を通り、導入口２４から、この貯留浸透システム１００ａの第１の構築物１の第２の構造体２０に流入する。導入口２４から導入された排水は、板状部材３０と第２の構造体２０とにより形成された空間Ｓ２の一部および板状部材３０の上面の一部を通り、開口部３０ａに設けられた網状部材３１を通過して、第１の構造体１０の内部Ｓ１に至る。その際、排水とともに導入口２４から導入された、石、ペットボトル、ビニール、その他のごみのほとんどは、網状部材３１により捉えられる。このため、第１の構造体１０の内部Ｓ１には流れ込まず、板状部材３０と第２の構造体２０とにより形成された空間Ｓ２、主に、板状部材３０の上に溜まる。また、排水は、板状部材３０の上を流れるため、排水に含まれる泥、砂利（土砂）などもまた、板状部材３０の上に堆積しやすく、板状部材３０によりある程度分離できる。
【００５１】
第１の構造体１０に流入した排水は、第１の構造体１０の側壁１１に設けられた多孔領域１５の複数の開口１４を介して、第２の構築物２、すなわち、第１の構造体１０の側壁１１と対向している複数の充填部材４０およびそれらの充填部材４０に繋がっている他の充填部材４０により構成された貯留空間Ｓ３に流入する。この貯留浸透システム１００ａでは、第１の構造体１０の側壁１１が、上下方向および左右方向に分散して複数の開口１４が設けられている多孔領域１５を含む。このため、第１の構造体１０に集められた水は、側壁１１の多孔領域１５を通じて、対向している充填部材４０に、上下方向および左右方向に分散して流入する。より具体的には、この貯留浸透システム１００ａでは、第１の構造体１０の四方の側壁１１（４つの側壁１１）のそれぞれが多孔領域１５を含み、複数の充填部材４０の一部と対向している。このため、第１の構造体１０に集められた水は、これらの側壁１１を介し、四方に流出し、広がりのある状態で、第２の構築物２が備える充填部材４０に流入する。
【００５２】
そして、第２の構築物２に流入した排水は、第１の構築物１の四方に互いに並べて配置された複数の充填部材４０にさらに分散され、第２の構築物２の周囲において、透水シート５０の能力、第２の構築物２の周囲の水分率などにより、適当なスピードで、第２の構築物２の内部に貯留されていた水が、透水シート５０を介して、徐々に地下浸透する。開口率の高い充填部材４０を組み合わせ、さらに、その外側を不織布などの透水性のシート５０により覆って構築される第２の構築物２を採用することにより、内部Ｓ３に貯留されている水と外側の透水性の層（土層、土壌）６３との接触面積を良好に確保できる。このため、適当な速度で貯留水を地下浸透させることができる。これに加え、上述のような第２の構築物２は、土壌のバクテリアなどの菌類を、第２の構築物２の内部Ｓ３に貯留されている水に侵入することを可能にするため、第２の構築物２の内部Ｓ３における水質浄化を促進できる。
【００５３】
この貯留浸透システム１００ａでは、第１の構造体１０の側壁１１が、上下方向および左右方向に分散して複数の開口１４が設けられている多孔領域１５を含む。このため、第１の構造体１０の内部Ｓ１に多量の排水が流入し水位が上がると、これに伴い、第１の構造体１０の側壁１１の水の流通面積（水面よりも下側にある開口１４のトータルの面積、第１の構築物１から第２の構築物２への水の流入面積）が増大する。すなわち、複数の開口１４を通って第２の構築物２（第２の構築物２に含まれる充填部材４０）に流入する水量が増大すると、流通面積が増大し、第１の構築物１から第２の構築物２への流速（複数の開口１４を通る水の流速）が急激に増大することは抑制される。このため、側溝などの排水システムから第１の構築物１の第１の構造体１０へ流入する排水量が増加しても、比較的一定の状態、すなわち、各開口１４およびその近傍における流速の変動が少ない状態で、第２の構築物２の充填部材４０へ排水を分散して放出できる。しかも、複数の開口１４が上下方向に縦長の形状を有しているため、左右方向に横長の形状の開口１４と比べ、第１の構造体１０の内部の水位の変動に対し、流通面積は追従して変化しやすい。
【００５４】
排水とともに導入口２４から第１の構築物１へ流入された、石、ペットボトル、ビニール、その他のごみのほとんどは、板状部材３０と第２の構造体２０とにより形成された空間Ｓ２、主に、板状部材３０の上に溜まる。しかしながら、排水に含まれる泥や砂利の一部は、第１の構造体１０の内部に流入し、底に溜まることがある。この貯留浸透システム１００ａによれば、第１の構造体１０へ流入する水量により流通面積が変化するので、第１の構造体１０の各開口１４を通る水の流速の変化は小さく、大量の排水が第１の構造体１０に流入しても、底に溜まった泥などが、底の近傍にある開口１４を介して、第２の構築物２の内部Ｓ３（充填部材４０の内部）に運ばれにくい（キャリーオーバーされにくい）。したがって、網状部材３１を通過して、第１の構造体１０の底に溜まった泥などが充填部材４０に流れ込むのを抑制でき、底に溜まった泥は、第１の構造体１０の内部Ｓ１に投入した水中ポンプなどでくみ上げて排出することができる。
【００５５】
しかも、この貯留浸透システム１００ａでは、第１の構造体１０の側壁１１に上下および左右にわたり複数の開口１４が設けられているため、これらの開口１４を介して、第１の構築物１と第２の構築物２との間、すなわち、第１の構造体１０と充填部材４０との間で、水を流通（出入り、流出入、循環）させることができる。すなわち、この貯留浸透システム１００ａでは、第１の構造体１０に流入した排水が、複数の開口１４を介して、複数の充填部材４０に流入するだけでなく、複数の開口１４を介して、第２の構築物２の充填部材４０に溜まった水と、第１の構築物１の第１の構造体１０に溜まった水との間で流出入する。したがって、貯留浸透システム１００ａに流入する水の量が増大したときに、第１の構築物１が、排水を一時的に溜めるバッファーとしても機能するだけではなく、第２の構築物２の充填部材４０に溜まった水の状態を監視する機能も有する。
【００５６】
第１の構造体と、複数の充填部材とが多孔領域を介して連通していない場合、たとえば、第１の構造体の底に近い開口だけで連通していると仮定した場合、第１の構造体の底に泥が溜まると、開口面積が減り、最悪は塞がり、複数の充填部材に排水が供給され難い、あるいは供給できない状態になる。または、急激な水の流れにより充填部材の内部に泥が持ち込まれて、第１の構造体よりも多く泥が蓄積されている状態になっている可能性がある。さらに、複数の充填部材の内部に蓄積された排水に、たとえば油分が含まれており、油分が浮いた状態になっていたとしても、それを検出することは難しい。この貯留浸透システム１００ａによれば、上下方向および左右方向に分散して設けられた複数の開口１４を介して、第１の構造体１０の内部と充填部材４０の内部とが連通している。このため、第１の構造体１０の内部を観察することにより、一般的に観察が難しい充填部材４０の内部の様子、例えば、泥などの溜まり具合、油分の有無などを推察することができる。
【００５７】
上記の仮定とは異なり、第１の構造体の上方の開口だけで複数の充填部材と連通していると仮定した場合、泥は第１の構造体の底に溜まりやすいので、複数の充填部材へは持ち込まれ難い。しかしながら、いったん、泥が複数の充填部材へ持ち込まれると、それらを回収することはほとんど不可能である。この貯留浸透システム１００ａによれば、上下方向および左右方向に分散して設けられた複数の開口１４を介して、第１の構造体１０の内部と充填部材４０の内部とが連通している。したがって、第１の構造体１０から充填部材４０の内部に泥が持ち込まれたとしても、充填部材４０に溜まった水が、複数の開口１４を介して、第１の構造体１０と流出入する際に、この水の流れに伴い、第２の構築物２の充填部材４０に持ち込まれた泥が、再び、第１の構造体１０に戻りやすい。したがって、第２の構築物２の内部に泥が溜まりにくい。また、第１の構造体１０の底に溜まった泥を定期的に水中ポンプでくみ上げたり、あるいは、第１の構築物１の内部に人が入って外部に排出することにより、充填部材４０の内部に留まる泥の量の削減を図ることができる。
【００５８】
以上のように、この貯留浸透システム１００ａによれば、第１の構築物１に含まれる第１の構造体１０の内部に集められた雨水などの水（排水）を、この第１の構造体１０の側壁１１に含まれる多孔領域１５の複数の開口１４を介して、第２の構築物２に含まれる複数の充填部材４０に流入させ、地下浸透させることができる。
【００５９】
しかも、この貯留浸透システム１００ａによれば、第１の構造体１０に集められた水の水位が上がると、これに伴い、第１の構造体１０の側壁１１の流通面積（水面よりも下側にある開口１４のトータルの面積、第１の構築物１から第２の構築物２への水の流入面積）が増大する。したがって、貯留浸透システム１００ａに流れ込む水量によって、複数の開口１４を通る水の流速が急激に増大することは抑制され、第１の構造体１０の底に溜まった泥などが第２の構築物２の内部、具体的には、第２の構築物２に含まれる充填部材４０の内部に持ち込まれ難く、さらに、充填部材４０の内部で溜まりにくい。特に、この貯留浸透システム１００ａによれば、第１の構造体１０の側壁１１のほぼ全域を多孔領域１５としているため、第１の構造体１０の側壁１１の開口率が高く、流通面積も大きい。さらに、第１の構造体１０の底に近い部分にも開口１４があるので、第２の構築物２の充填部材４０の内部に泥が溜まったとしても、第１の構造体１０に戻りやすくなっている。
【００６０】
さらに、この貯留浸透システム１００ａによれば、第１の構造体１０の４つの側壁１１が、それぞれ、多孔領域１５を含み、複数の充填部材４０の一部と対向しているため、第１の構造体１０に集められた水を、これらの側壁１１を介し、四方に分散して流出させ、複数の充填部材４０に流入させることができる。このため、貯留浸透システム１００ａは、大雨などにより一時的に大量の排水が発生する事態になっても、大量の排水を短時間に飲み込むことができ、第２の構築物２に一次的に貯留し、徐々に地中に排水（浸透）させて戻すことができる。
【００６１】
また、この貯留浸透システム１００ａによれば、第１の構築物１が、板状部材３０と第２の構造体２０とをさらに含んでいるため、雨水などの排水とともに第１の構築物１に導入されたごみや土砂を、第１の構造体１０の上の、板状部材３０と第２の構造体２０とにより形成された空間Ｓ２内、主として、板状部材３０の上に溜めることができる。
【００６２】
さらに、この貯留浸透システム１００ａによれば、複数の開口１４は、上下方向に縦長の形状を有しているため、左右方向に横長の形状の開口１４と比べ、第１の構造体１０の内部の水位の変動に対し、流通面積が変化しやすい。さらに、第１の構造体１０の周壁１１の縦方向の加重を受ける断面積を確保しやすい。このため、第１の構造体１０は、水量により流通面積の変化量が大きく、強度の高い分配用のコンクリート槽である。
【００６３】
なお、上記第１の実施形態では、第１の構築物１の４つの側壁１１が、それぞれ、多孔領域１５を含み、第２の構築物２に含まれる複数の充填部材４０の一部と対向しているが、本発明の貯留浸透システムは、第１の構築物に含まれる第１の構造体の少なくとも１つの側壁が多孔領域を含み、多孔領域を含む側壁が第２の構築物に含まれる複数の充填部材の少なくとも一部と対向していればよい。
【００６４】
また、上記第１の実施形態では、第１の構造体１０の側壁１１のほぼ全域を多孔領域１５としているが、本発明の貯留浸透システムは、第１の構造体の側壁の少なくとも一部が多孔領域であればよい。第１の構造体の少なくとも１つの側壁の一部、例えば、下部を除く領域を多孔領域とした場合、第１の構造体の下部に泥やごみなどを溜めたり、一定量の水を第１の構造体の内部に貯留することができる。第１の構造体１０は、第２の構築物２よりも下に伸ばしてもよく、下に伸ばした部分を貯留槽あるいは泥溜めとして利用することも可能である。
【００６５】
上記第１の実施形態では、第１の構造体１０が２つの第１のブロック１３ａおよび１３ｂを備えているが、第１の構造体が備えるブロックの数は任意である。ブロックの数や大きさは、例えば、第１の構造体に求められる内部空間の大きさ（容積）により任意に設定することができる。
【００６６】
また、上記第１の実施形態では、第１の構築物１の網状部材３１を２つに分割しているが、網状部材３１は、分割しなくてもよく、あるいは、３つ以上に分割してもよい。さらに、第２の構造体２０の横断面形状は、第１の構造体１０の横断面形状よりも小さくしてもよい。さらに、第２の構造体２０は、下側から上側に向かって断面形状が小さくなるように、その側壁２１の少なくとも一部が傾斜しているものであってもよい。
【００６７】
板状部材３０および第２の構造体２０は、省略してもよい。この場合、排水を導入する導入口２４は、例えば、第１の構造体１０に設けることができる。第１の構造体１０の底壁１２は、省略してもよい。第１の構造体１０の内部に砕石等を投入したり、第１の構造体１０の底の部分に砕石等を敷き詰めたりしてもよい。複数の開口１４は、上下方向に縦長の形状としなくてもよい。平面略正方形状、平面円形状、あるいは、左右方向に横長の形状などとしてもよい。
【００６８】
上記第１の実施形態では、第１の構造体は、縦長の槽であるが、第１の構造体は、縦長の槽に限定されるものではない。
【００６９】
以下、図面を参照して、本発明の第２の実施形態について説明する。図６は、本発明の第２の実施形態にかかる貯留浸透システムを断面図により示している。図７は、図６の貯留浸透システムが備える第１の構造体を分解斜視図により示している。この貯留浸透システム１００ｂは、第１の構造体として側溝を採用している。
【００７０】
この貯留浸透システム１００ｂは、道路に沿って配置された第１の構造体としての浸透側溝７０を含む第１の構築物１と、この側溝７０の側方に長手方向に沿って互いに並べて配置された複数の充填部材４０を含む第２の構築物２とを有している。第１の構造体（側溝）７０の１つの側壁７１ａは、上下方向および左右方向に分散して複数の開口７４が設けられている多孔領域７５を含み、複数の充填部材４０と対向している。
【００７１】
浸透側溝７０は、一部が蓋９０で封鎖される開渠となり、他の部分が暗渠となった水路Ｓ４を備えている。浸透側溝７０は、例えば、底側（下側）が全体的に開放しており、両端の断面が門型（Ｍ型）の暗渠で、上壁の略中央に開口７３ａを有して開渠になった、複数の側溝用ブロック７３と、側溝７０の底を構成する透水性の底板７２とを、所定の方向に並べて埋設することにより施工できる（図７参照）。
【００７２】
側溝用ブロック（側溝ブロック）７３は、コンクリートにより工場においてプレハブ（プレキャスト）された、ほぼ直方体状のブロックで、長さが１〜２ｍ程度である。側溝用ブロック７３は、左右の側壁７１ａおよび７１ｂを備えている。浸透側溝７０の左右の側壁７１ａおよび７１ｂのうちの一方の側壁７１ａ、すなわち、複数の側溝用ブロック７３の左右の側壁７１ａおよび７１ｂのうちの一方の側壁７１ａはそれぞれ、上下方向および左右方向に分散して複数の開口７４が設けられている多孔領域７５を含み、透水性を有している。多孔領域７５では、複数の開口７４が、上下方向および左右方向に断続して、２次元的にマトリックス状に設けられている。本例では、複数の側溝用ブロック７３の一方の側壁７１ａに、それぞれ、開口７４が、２×７＝１４個、設けられている。開口７４は、それぞれ、上下方向に縦長の形状を有している。他方の側壁７１ｂには、排水を導入する導入口７９が設けられている。雨水などの排水は、直接的、あるいは、浸透側溝７０の導入口７９に接続された排水管９１を通って間接的に、浸透側溝７０に集められる。
【００７３】
底板（底板ブロック）７２は、コンクリートにより工場においてプレハブ（プレキャスト）された、コンクリート版（コンクリート製の壁体、コンクリート製の板状部材）であり、長さは、側溝用ブロック７３の長さと同程度とされている。
【００７４】
側溝用ブロック７３および底板７２は、プレハブ（プレキャスト）され、現場で施工されるようになっている。したがって、この側溝７０は、自由勾配側溝（可変側溝）とも呼ばれる。側溝用ブロック７３の上方の略中央に設けられている開口７３ａには、コンクリート製または多孔状のグレーチング製の蓋９０が設置される。浸透側溝７０では、蓋９０を介し、または蓋９０同士の隙間などから、雨水などの排水を内部の空間Ｓ４により形成される水路に集めることができる。なお、浸透側溝は、自由勾配側溝に限らず、全体が開渠で断面がＵ字になったＵ字型の浸透側溝、全体が暗渠のカルバート型の浸透側溝であっても良い。
【００７５】
この浸透側溝７０は、例えば、道路９２と境界ブロック９３を隔てて歩道９４の側に敷設される。歩道９４は、透水性のインターロッキング９５により施工されており、その下にドレイネッジセル９６が埋設されている。この側溝７０は、側壁７１ａが歩道９４側、側壁７１ｂが道路９２側となるように、埋設される。なお、第１の構造体としての側溝７０は、これに限定されるものではなく、上記のように種々の側溝を用いることができる。
【００７６】
第２の構築物２が備える複数の充填部材４０としては、例えば、第１の実施形態と同様のものを用いることができる。複数の充填部材４０は、浸透側溝７０の一方の側壁７１ａに沿うように、互いに並べて配置されている。充填部材４０の外側は、透水シート５０により覆われている。
【００７７】
なお、本例では、複数の側溝用ブロック７３の左右の側壁７１ａおよび７１ｂのうちの一方の側壁７１に沿うように、充填部材４０を配置しているが、複数の側溝用ブロック７３の左右の側壁７１ａおよび７１ｂに沿うように、充填部材を配置してもよい。この場合、側壁７１ｂも、多孔領域７５を含むようにする。また、充填部材４０を一列に配置しているが、予め所定のサイズの直方体あるいは立方体などのボックス状に組み立てられた充填部材４０を、所定の数、縦横に積み重ねることにより、所定の断面積を備えた第２の構築物２を構築することもできる。そして、側溝７０の長手方向に沿って充填部材４０を継ぎ足していく、あるいは連続して設置していくことにより、所定の容量（貯水量）を備えた、貯留浸透システム１００ｂを施工することができる。本例では、充填部材４０の内部に、貯留された水が流通するので、第１の構築物１だけでなく、第２の構築物２もまた、水路として機能する。
【００７８】
浸透側溝７０の他方の側壁７１ｂの外側には、砕石の層８１が形成されている。充填部材４０の外側には、透水シート５０を介して、砂質土層８２が形成されている。貯留浸透システム１００ｂの外側には、埋め戻された土砂の地層８３が形成されている。
【００７９】
この貯留浸透システム１００ｂでは、雨水などの排水は、直接的、あるいは、排水管９１を通って間接的に、側溝７０に集められる。そして、側溝７０の水路Ｓ４を流れる排水は、側壁７１ａの複数の開口７４を介して、複数の充填部材４０に流入し、内部空間Ｓ３内に一時的に貯留される。貯留された排水は、充填部材４０の外側を覆う透水シート５０の透水性、第２の構築物２の周囲の水分率の低下などの要因により、適当な速度で透水シート５０を介して、地下浸透する。
【００８０】
この貯留浸透システム１００ｂでは、雨量が少ないときは、浸透側溝７０を流れる水は、充填部材４０に蓄えられ、徐々に地下浸透処理される。一方、雨量が多いときには、浸透側溝７０により、地下浸透では処理できない雨水などの排水を、排水設備、河川などに導き、排水できる。すなわち、降水量が少ないときは、側溝７０に集められた雨水などは、地層（地面、土壌）に戻され、植物の育成などに有効に利用され、地下水の枯渇を防止できる。一方、降水量が多いなどの理由で、側溝７０に大量の排水が集められ、そのような排水の全量をその場で浸透処理できない状況になれば、側溝７０を介して排水が流れ、他の場所で浸透したり、河川に放出したり、下水処理場などの排水設備に排出したりすることができる。
【図面の簡単な説明】
【００８１】
【図１】本発明の第１の実施形態にかかる貯留浸透システムを示す正面図。
【図２】図１の貯留浸透システムを示す断面図。
【図３】図２の一部を拡大して示す図。
【図４】図１の貯留浸透システムが備える充填部材の一例を示す斜視図。
【図５】図４の充填部材を示す分解斜視図。
【図６】本発明の第２の実施形態にかかる貯留浸透システムを示す断面図。
【図７】図６の貯留浸透システムが備える第１の構造体を示す分解斜視図。
【符号の説明】
【００８２】
１    第１の構築物、  ２    第２の構築物
１０    第１の構造体（縦長の槽）、  １１    第１の構造体（縦長の槽）の側壁
１４    開口、  １５    多孔領域
２０    第２の構造体、  ２４    導入口
３０    板状部材、  ４０    充填部材
７０    第１の構造体（側溝）、７１ａ、７１ｂ    第１の構造体（側溝）の側壁
７４    開口、  ７５    多孔領域
１００ａ、１００ｂ    貯留浸透システム
【図１】
2008291498.tif 000003
【図２】
2008291498.tif 000004
【図３】
2008291498.tif 000005
【図４】
2008291498.tif 000006
【図５】
2008291498.tif 000007
【図６】
2008291498.tif 000008
【図７】
2008291498.tif 000009